(57)【要約】      （修正有）【課題】背バンドをなくすと共に、着用者の動作によるウイングの上側へのズレ上がりが起こらないようにしてカップをしっかりと固定することができるようにしたブラジャーを提供する。【解決手段】ブラジャー１は、フロントの両側から夫々横方向に延びるウイング４、４の延出端４ａを着用者の背中側の脇を覆う位置までとする。フロントから延びる伸縮性を有する肩紐５、５を両ウイング４、４の延出端４ａに夫々接続する。両ウイング４、４の夫々の延出端４ａから伸縮性を有するボトム装着紐６を下方に延ばし、それの下端を連結具７を介してショーツ、ガードル等のボトム８に連結する。【選択図】図４
0003227888.tif 000002
【実用新案登録請求の範囲】
【請求項１】
横方向に並ぶ一対のカップを含むフロントと、該フロントの両側から夫々横方向に延び、延出端を着用者の背中側の脇を覆う位置までとするウイングと、前記フロントから延びて前記両ウイングの延出端に夫々接続された、伸縮性を有する肩紐と、前記両ウイングの夫々の延出端から下方に延び、下端に連結具を取着した、伸縮性を有するボトム装着紐とからなることを特徴とするブラジャー。
【考案の詳細な説明】
【技術分野】
【０００１】
本考案はブラジャーに関し、更に詳細には背バンドをなくしたブラジャーに係わる。
【背景技術】
【０００２】
従来のブラジャーには、着用者の背中を覆う背バンドがあった。このため、背バンドの上下に肉の盛り上がりを生ずる場合があり、また、特に補整効果のあるブラジャーは背バンドの伸縮が強く、着用者に圧迫感があり、また見た目の印象も悪かった。また、背中のあいたドレスを着用したときにおいては、背中側に背バンドが見えてしまい、この場合においても見た目の印象が悪かった。
【０００３】
また、従来のブラジャーでは、身体の動きと背バンドの伸縮によってウイングが上にズレ上がり、カップの安定性を損なうことがあった。
【考案の概要】
【考案が解決しようとする課題】
【０００４】
本考案は上記の点に鑑みなされたものであって、フロントの両側から夫々横方向に延びるウイングの延出端を着用者の背中側の脇を覆う位置までとし、フロントから延びる伸縮性を有する肩紐を両ウイングの延出端に夫々接続すると共に、両ウイングの夫々の延出端から伸縮性を有するボトム装着紐を下方に延ばし、それの下端を連結具を介してボトムに連結するようになし、もって従来のブラジャーの上記問題点を悉く解消することができるようになしたブラジャーを提供しようとするものである。
【課題を解決するための手段】
【０００５】
而して、本考案の要旨とするところは、横方向に並ぶ一対のカップを含むフロントと、該フロントの両側から夫々横方向に延び、延出端を着用者の背中側の脇を覆う位置までとするウイングと、前記フロントから延びて前記両ウイングの延出端に夫々接続された、伸縮性を有する肩紐と、前記両ウイングの夫々の延出端から下方に延び、下端に連結具を取着した、伸縮性を有するボトム装着紐とからなることを特徴とするブラジャーにある。
【考案の効果】
【０００６】
本考案は上記の如き構成であり、フロントの両側から夫々横方向に延びるウイングの延出端を着用者の背中側の脇を覆う位置までとし、フロントから延びる伸縮性を有する肩紐を両ウイングの延出端に夫々接続すると共に、両ウイングの夫々の延出端から伸縮性を有するボトム装着紐を下方に延ばし、それの下端を連結具を介してショーツ、ガードル等のボトムに連結するようになしたものであるから、両ウイングの延出端同士の間、即ち、着用者の背中を覆う従来の背バンドの部分は空間となっている。もって、背バンドがないことにより、従来の背バンドがあることにより生ずる問題点を悉く解消することができるものである。
【０００７】
また、着用者の胸のサイズに適合するようにボトム装着紐の下端の連結具の位置、即ち、両ウイングの延出端間の間隔を調節すると、両ウイングの延出端は、伸縮性を有する肩紐とボトム装着紐とによる上下の引っ張り合いの力により、その位置が左右、上下にズレることなくしっかりと保持される。そして、また、これによりウイングも身体にぴったりとフィットし、従来の如く身体の動きによってウイングが上にズレあがることもなくなるものである。
【０００８】
そして、これにより、従来の如き背バンドによる締め付けがないにもかかわらずしっかりとカップが固定され、カップ内の乳房が安定して収まり、もって補整の効果も期待することができるものである。加えて、背バンドによる締め付け感や圧迫感からも開放されることになるものである。
【０００９】
また、背中側は連続して繋がっていないことから、アンダーサイズというものがなくなり、アンダーサイズで体型を表すような表現がなくなるものである。したがって、カップサイズを選ぶだけで簡単に自分の胸に合ったブラジャーを選ぶことができるようになるものである。
【００１０】
そして、例えば、痩せているのに胸が大きい、また反対に太っているのに胸が小さい場合において、従来のブラジャーの場合にあってはアンダーサイズに合わせてサイズを選ぶため、ぴったりとフィットしない問題があったが、本考案に係るブラジャーによれば、カップサイズが自分にあったものを選択するものであるから、完全に自分の胸にフィットさせることができるものである。
【図面の簡単な説明】
【００１１】
【図１】本考案の実施形態に係るブラジャーの正面図である。
【図２】同背面図である。
【図３】同使用状態の正面図である。
【図４】同使用状態の背面図である。
【考案を実施するための形態】
【００１２】
以下、本考案を実施するための形態について、図面を参照して説明する。
【００１３】
図中、１はブラジャーである。また、該ブラジャー１は、横方向に並ぶ一対のカップ２、２を含むフロント３と、該フロント３の両側から夫々横方向に延び、延出端４ａを着用者の背中側の脇を覆う位置までとするウイング４，４と、前記フロント３から延びて前記両ウイング４、４の延出端４ａに夫々接続された、伸縮性を有する肩紐５、５と、前記両ウイング４、４の夫々の延出端４ａから下方に延び、下端に連結具７を取着した、伸縮性を有するボトム装着紐６、６とからなるものである。尚、前記フロント３の生地は伸縮性がなく、またウイング４の生地は伸縮性があり、そしてウイングの延出端４ａは伸縮性がないものとする。また、伸縮性を有する肩紐５、５とボトム装着紐６、６はゴム等の弾性素材で構成されている。更にまた、前記連結具７はクリップが用いられている。
【００１４】
次に、本実施形態の使用方法について説明する。
図３に示す如く、肩紐５、５に着用者の腕をくぐらせ、フロント３とウイング４を着用者の胸に当てがった後、図４に示す如く、着用者の背中側においてボトム装着紐６の下端を連結具７を介して若干内側に向けて引っ張りながら、ショーツ、ガードル等のボトム８に連結するものである。尚、ボトム装着紐６の下端の連結具７の位置、即ち、ウイング４、４の延出端４ａ、４ａ間の間隔は、着用者の胸のサイズに適合するよう適宜に調節する。
【００１５】
本実施形態は、上記の如くであり、フロント３の両側から夫々横方向に延びるウイング４、４の延出端４ａを着用者の背中側の脇を覆う位置までとし、フロント３から延びる伸縮性を有する肩紐５、５を両ウイング４、４の延出端４ａに夫々接続すると共に、両ウイング４、４の夫々の延出端４ａから伸縮性を有するボトム装着紐６を下方に延ばし、それの下端を連結具７を介してショーツ、ガードル等のボトム８に連結するようになしたものであるから、両ウイング４、４の延出端４ａ、４ａ同士の間、即ち、着用者の背中を覆う従来の背バンドの部分は空間となっている。もって、背バンドがないことにより、従来の背バンドがあることにより生ずる問題点を悉く解消することができるものである。
【００１６】
また、着用者の胸のサイズに適合するようにボトム装着紐６の下端の連結具７の位置、即ち、両ウイング４、４の延出端４ａ、４ａ間の間隔を調節すると、両ウイング４、４の延出端４ａは、伸縮性を有する肩紐５、５とボトム装着紐６、６とによる上下の引っ張り合いの力により、その位置が左右、上下にズレることなくしっかりと保持される。そして、また、これによりウイング４、４も身体にぴったりとフィットし、従来の如く身体の動きによってウイングが上にズレあがることもなくなるものである。
【００１７】
そして、これにより、従来の如き背バンドによる締め付けがないにもかかわらずしっかりとカップが固定され、もってカップ内の乳房が安定して収まり、補整の効果も期待することができるものである。加えて、背バンドによる締め付け感や圧迫感からも開放されることになるものである。
【００１８】
また、背中側は連続して繋がっていないことからアンダーサイズというものがなくなり、アンダーサイズで体型を表すような表現がなくなるものである。したがって、カップサイズを選ぶだけで簡単に自分の胸に合ったブラジャーを選ぶことができるようになるものである。
【００１９】
そして、例えば、痩せているのに胸が大きい、また反対に太っているのに胸が小さい場合において、従来のブラジャーの場合にあってはアンダーサイズに合わせてサイズを選ぶため、ぴったりとフィットしない問題があったが、本考案に係るブラジャーによれば、カップサイズが自分にあったものを選択するものであるから、完全に自分の胸にフィットさせることができるものである。
【符号の説明】
【００２０】
１  ブラジャー
２、２  一対のカップ
３  フロント
４、４  ウイング
４ａ  ウイングの延出端
５、５  肩紐
６、６  ボトム装着紐
７  連結具
【図１】
0003227888.tif 000003
【図２】
0003227888.tif 000004
【図３】
0003227888.tif 000005
【図４】
0003227888.tif 000006